(57)【要約】【課題】厚紙製玩具を簡易に製造する。【解決手段】厚紙片を横断面十字形に組み合わせて形成されるシャフト（１）と、シャフト（１）を回転可能に支持する軸穴（２）を有した厚紙片を利用して形成される基台（３）と、基台（３）に軸支される厚紙片を利用して形成された揺動体（４）と、シャフト（１）の回転を揺動体（４）の揺動運動に変換する厚紙片を利用して形成される伝動部（５）とを具備する。シャフト（１）の回転が伝動部（５）を介して揺動体（４）に伝達され、揺動部が基台上で揺動運動を行う。シャフト（１）、基台（３）、揺動体（４）及び伝動部（５）はすべて厚紙片で構成されるので、組立前において嵩張ることがなく、また厚紙シート（６，８）の打ち抜き等により簡易に製造することができる。【選択図】      図１
2004181187.tif 000002
【特許請求の範囲】
【請求項１】
厚紙片を横断面十字形に組み合わせて形成されるシャフトと、シャフトを回転可能に支持する軸穴を有した、厚紙片を利用して形成される基台と、基台に軸支される厚紙片を利用して形成された揺動体と、シャフトの回転を揺動体の揺動運動に変換する、厚紙片を利用して形成される伝動部とを具備したことを特徴とする玩具。
【請求項２】
請求項１に記載の玩具において、すべての厚紙片が厚紙シートに切れ線を介して形成され、厚紙シートから抜き取られた後に組み立てられるようにしたことを特徴とする玩具。
【発明の詳細な説明】
【０００１】
【発明の属する技術分野】
本発明は、厚紙片により組み立てられる玩具に関する。
【０００２】
【従来の技術及び発明が解決しようとする課題】
従来の厚紙片により組み立てられる玩具では、玩具の人形等本体部分は厚紙で作られ、シャフト、伝動部等の部品はその強度を得るため厚紙以外の金属、プラスチック等で作られている。
【０００３】
このため、部品が紛失しやすく、また、コストアップを招くという問題がある。
本発明は、このような問題点を解決することができる玩具を提供することを目的とする。
【０００４】
【課題を解決するための手段】
上記課題を解決するため、請求項１に係る発明は、厚紙片を横断面十字形に組み合わせて形成されるシャフト（１）と、シャフト（１）を回転可能に支持する軸穴（２）を有した厚紙片を利用して形成される基台（３）と、基台（３）に軸支される厚紙片を利用して形成された揺動体（４）と、シャフト（１）の回転を揺動体（４）の揺動運動に変換する厚紙片を利用して形成される伝動部（５）とを具備した玩具を採用する。
【０００５】
この請求項１に係る発明によれば、シャフト（１）の回転が伝動部（５）を介して揺動体（４）に伝達され、揺動部が基台上で揺動運動を行う。シャフト（１）、基台（３）、揺動体（４）及び伝動部（５）はすべて厚紙片で構成されるので、組立前において嵩張ることがなく、また厚紙シート（６，８）の打ち抜き等により簡易に製造することができる。
【０００６】
また、請求項２に係る発明は、請求項１に記載の玩具において、すべての厚紙片が厚紙シート（６，８）に切れ線（７，９）を介して形成され、厚紙シート（６，８）から抜き取られた後に組み立てられるようにした玩具を採用する。
【０００７】
この請求項２に係る発明によれば、玩具のすべての部品を一枚又は複数枚の厚紙シート（６，８）内に設け、玩具の組立前はすべての厚紙片を厚紙シート（６，８）内に収めて保管することができるので、玩具を簡易に製造することができ、また製造後部品の紛失を防止することができる。
【０００８】
【発明の実施の形態】
次に、本発明の実施の形態について図面を参照して説明する。
＜実施の形態１＞
図１に示すように、この玩具は、厚紙片を横断面十字形に組み合わせて形成されるシャフト１と、シャフト１を回転可能に支持する軸穴２を有した、厚紙片を利用して形成される基台３と、基台３に軸支される、厚紙片を利用して形成された揺動体４と、シャフト１の回転を揺動体４の揺動運動に変換する、厚紙片を利用して形成される伝動部５とを具備する。
【０００９】
基台３は、中空の箱体３ａと、箱体３ａに立設されるブラケット３ｂとを備える。箱体３ａは、図４に示す天壁６ａ、底壁６ｂ、左右側壁６ｃ、前後壁６ｄとなる六枚の厚紙片を組み合わせることにより組み立てられる。もちろん、それ以上又はそれ以下の枚数の厚紙片を用いて六面体以外の立体として形成することも可能である。ブラケット３ｂは揺動体４と共に人間、動物、キャラクター等を表現するように形成される。この実施の形態ではブラケット３ｂ及び揺動体４は全体として恐竜を表現するようになっており、ブラケット３ｂは恐竜の左右の脚に擬した厚紙片として形成される。
【００１０】
箱体３ａを構成する六枚の厚紙片は、図４に示すように、一枚の厚紙シート６に切れ線７を入れることにより形成される。切れ線７は切り込み刃を有するプレス盤等により入れられる。切り込み刃は所々途切れており、各箱体用厚紙片はこの途切れた箇所に対応する繋ぎ部で打ち抜きプレス後も厚紙シート６につながれる。ブラケット３ｂを構成する厚紙片は、図３に示すように、他の一枚の厚紙シート８に切れ線９を入れることにより箱体３ａの厚紙片と同様にして形成されるが、箱体３ａと同じ厚紙シート６上に形成することも可能である。
【００１１】
図４に示すように、箱体３ａを構成する六枚の厚紙片の各辺には連結手段が所望の形状に形成される。箱体３ａのそれぞれ天壁６ａ、底壁６ｂ、左右側壁６ｃとなる厚紙片同士の連結手段は凹部１０ａ及び凸部１０ｂとして形成される。箱体３ａのそれぞれ前後壁６ｄとなる厚紙と、天壁６ａ、左右側壁６ｃとなる厚紙片との連結手段はスリット状の穴１１ａ及び突起１１ｂとして形成される。ブラケット３ｂは箱体３ａの天壁６ａに固定されるようになっており、両者の連結手段としてブラケット３ｂには突起１１ｂが形成され、箱体３ａの天壁６ａには突起１１ｂが挿入されるスリット状の穴１１ａが形成される。これらの連結手段は上記厚紙片のプレス成形時に同時に成形される。
【００１２】
また、箱体３ａの左右側壁６ｃとなる厚紙片にはシャフト１を回転可能に支持する円形の軸穴２が穿設され、天壁６ａとなる厚紙片には伝動部５のカムフォロア５ｂを通すための挿通穴１２が穿設される。ブラケット３ｂとなる厚紙片には揺動体４側の枢軸１３を通すための支点穴１４が穿設される。これら軸穴２、挿通穴１２及び支点穴１４は上記厚紙片のプレス成形時に同時に成形される。
【００１３】
この基台３の箱体３ａは、厚紙シート６から六枚の箱体用厚紙片を繋ぎ部の箇所で切り離すようにして取り出した後、凹部１０ａに凸部１０ｂを嵌め込み、穴１１ａに突起１１ｂを嵌め込むことにより、六面体の中空箱として組み立てられる。また、基台３のブラケット３ｂは、厚紙シートから二枚のブラケット３ｂを繋ぎ部の箇所で切り離すようにして取り出した後、それらの突起１１ｂを箱体３ａの天壁６ａの穴１１ａに挿入することにより、箱体３ａ上に固定される。
【００１４】
揺動体４は、人間、動物、キャラクター等の所望の形に形成される。この実施の形態では、動物に擬せられ、図３に示す胴体１５の厚紙片と、胸１６の厚紙片と、左右の手１７の厚紙片とを組み合わせることにより組み立てられる。左右の脚であるブラケット３ｂの厚紙片は上述したように基台３の一部として箱体３ａ上に取り付けられる。
【００１５】
これら四枚の揺動体用の厚紙片は、一枚の厚紙シート８に切れ線９を入れることにより左右の脚となるブラケット３ｂと共に形成される。切れ線９は切り込み刃を有するプレス盤等により入れられる。切り込み刃は所々途切れており、各揺動体用厚紙片はこの途切れた箇所に対応する繋ぎ部で打ち抜きプレス後も厚紙シート８につながれる。もちろん、この揺動体用厚紙片は上記箱体用厚紙片と同じ厚紙シート６に形成することもできる。
【００１６】
図３に示すように、四枚の揺動体用厚紙片の各所には相互間の連結手段が所望の形状に形成される。この実施の形態では、左右の手１７の厚紙片を胸１６の厚紙片に連結し又胸１６の厚紙片を胴体１５の厚紙片に連結する手段として、溝形の切欠１８が各厚紙片に形成される。また、胴体１５の厚紙片には伝動部５のカムフォロア５ｂを連結する手段としての切欠１８ａも形成される。
【００１７】
この揺動体４は、厚紙シート８から四枚の揺動体用厚紙片を繋ぎ部の箇所で切り離すようにして取り出し、切欠１８同士を嵌め合わせることにより立体的に組み立てられる。
【００１８】
シャフト１は、図３に示す軸板１９となる細長い厚紙片と、軸片２０となる二枚の厚紙片と、キー２１となる厚紙片と、ハンドル２２となる厚紙片と、止め具２３となる厚紙片とを組み合わせることにより構成される。
【００１９】
これら六枚のシャフト１用の厚紙片は、揺動体４と同じ厚紙シートに切れ線９を入れることにより形成される。切れ線９は切り込み刃を有するプレス盤等により入れられる。切り込み刃は所々途切れており、各シャフト１用の厚紙片はこの途切れた箇所に対応する繋ぎ部で打ち抜きプレス後も厚紙シート８につながれる。
【００２０】
図３に示すように、六枚のシャフト１の用厚紙片の各所には連結手段が所望の形状に形成される。この実施の形態では、軸片２０、キー２１及び止め具２３となる各厚紙片には凸部２４ａが形成され、軸板１９となる厚紙片には各凸部２４ａが嵌り込むスリット状の穴２４ｂが形成され、ハンドル２２となる厚紙片と軸板１９となる厚紙片にはそれぞれ溝形の切欠２５が形成される。これらの連結手段は厚紙片の打ち抜きプレス時に同時に成形される。
【００２１】
このシャフト１の部品は、厚紙シート８から図２（Ａ）に示すように六枚のシャフト１用の厚紙片を繋ぎ部の箇所で切り離すようにして取り出すことにより揃えられる。そして、同図（Ｂ）に示すように、軸片２０及びキー２１となる各厚紙片の凸部２４ａが軸板１９の厚紙片の穴２４ｂに嵌め込まれ、図１に示すように、横断面十字形に形成された箇所が箱体３ａの軸穴２に挿入される。軸穴２の内縁には軸板１９と軸片２０の各厚紙片の各縁が接触し、このためシャフト１は軸穴２に支えられつつ円滑に回転する。軸板１９となる厚紙片の両端は箱体３ａの両側壁６ｃから外側に突出し、この各突出端の切欠２５と穴２４ｂにそれぞれハンドル２２の厚紙片の切欠２５と止め具２３の厚紙片の凸部２４ａが係止される。シャフト１は止め具２３とハンドル２２とにより箱体３ａ上に保持され、ハンドル２２の操作により回転する。
【００２２】
伝動部５は、シャフト１の回転を揺動体４の揺動運動に変換する手段としてカム装置を採用し、図１に示すように、カム５ａとなる厚紙片とカムフォロア５ｂとなる厚紙片とを備える。カム５ａ用の厚紙片はシャフト１に固定され、カムフォロア５ｂ用の厚紙片は揺動体４に固定される。カムフォロア５ｂは一端にカム５ａとの当接部を有し、他端に上記脚となるブラケット３ｂの厚紙片の支点穴１４に挿入される枢軸１３を有する。
【００２３】
これら二枚の厚紙片は、揺動体４と同じ厚紙シート８に切れ線９を入れることにより形成される。切れ線９は切り込み刃を有するプレス盤等により入れられる。切り込み刃は所々途切れており、各厚紙片はこの途切れた箇所に対応する繋ぎ部で打ち抜きプレス後も厚紙シート８につながれる。
【００２４】
図３に示すように、カム５ａ用の厚紙片の中央には連結手段としての十字形溝２６が軸板１９とキー２１との結合部の断面形に対応するように穿設される。カムフォロア５ｂ用の厚紙片における左右の枢軸１３間には揺動体４との連結手段として溝状の切欠２７が形成され、揺動体４の胴１５となる厚紙片の切欠１８ａと係合するようになっている。これらの連結手段は厚紙片の打ち抜きプレス成形時に同時に成形される。
【００２５】
このカム装置の部品は、厚紙シート８からカム５ａ用の厚紙片とカムフォロア５ｂ用の厚紙片とを繋ぎ部の箇所で切り離すことにより取り出される。そして、図２に示すようにカム５ａの十字形溝２６内にシャフト１が挿入され、十字形溝２６に軸板１９とキー２１とが嵌め込まれる。これにより、カム５ａがシャフト１に固定され、ハンドル２２の操作によりシャフト１と一体で回転する。また、カムフォロア５ｂ用の厚紙片が切欠１８ａ，２７同士の係合により揺動体４に固定され、その先端がカム５ａに当接する。ハンドル２２の操作によりカム５ａが回転すると、カムフォロア５ｂを介して揺動体４が基台３上で揺動運動を行う。
【００２６】
その他、厚紙シート８にはワッシャ２８等の厚紙片が形成され、必要に応じて使用される。
【００２７】
次に、上記構成の玩具の作用について説明する。
玩具のすべての部品が一枚又は複数枚の厚紙シート６，８内に設けられ、玩具の組立前はすべての厚紙片が厚紙シート６，８内に収められた状態で保管され運搬される。
【００２８】
この玩具の組み立てに際し、シャフト１、基台３、揺動体４及び伝動部５の各部品である厚紙片が繋ぎ部で切り離され厚紙シート６，８から取り出される。
【００２９】
シャフト１、基台３及び揺動体４の各種厚紙片が連結手段によってそれぞれ組み立てられ、伝動部５のカムフォロア５ｂが連結手段によって揺動体４に連結される。また、伝動部５のカム５ａが連結手段によってシャフト１に固定され、このシャフト１が基台３の箱体３ａに取り付けられる。これにより、シャフト１の軸板１９と軸片２０よりなる十字形横断面の箇所が箱体３ａの軸穴２内に入り込み、カム５ａが箱体３ａの内部に格納される。
【００３０】
基台３上のブラケット３ｂの支点穴１４に、揺動体４に固定されたカムフォロア５ｂの枢軸１３が挿入される。これにより、揺動体４は枢軸１３を支点にして基台３上で揺動可能になる。また、同時にカムフォロア５ｂの当接部がカム５ａに接触する。
【００３１】
ハンドル２２を持つ手でシャフト１が回されると、カム５ａがシャフト１と共に回転し、カム５ａに接触するカムフォロア５ｂが枢軸１３を支点にして基台３上で揺動し、カムフォロア５ｂと一体の揺動体４も枢軸１３を支点にして揺動する。
【００３２】
＜実施の形態２＞
図５に示すように、この実施の形態２に係る玩具では実施の形態１の場合と異なり、伝動部としててこクランク装置が採用される。また、揺動部４は動物の人形に擬して形成される。
【００３３】
てこクランク装置は、シャフト１となる厚紙片と、図６に示す連結棒２９となる厚紙片とを備える。シャフト１は実施の形態１の場合と略同様に構成されるが、カム５ａに代え軸板にクランク片１ａが一体的に形成される。連結棒２９は両端にそれぞれ連結穴２９ａと係止片２９ｂを有する。連結穴２９ａは望ましくは丸穴として形成され、この連結穴２９ａにクランク片１ａが回転自在に挿入される。係止片２９ｂはフック状に形成され、揺動体４に係止される。
【００３４】
これにより、図５（Ａ）（Ｂ）に示すように、シャフト１が回されると、その回転が連結棒２９を介して揺動体４に揺動運動に変換して伝達される。
【００３５】
なお、この実施の形態２において実施の形態１における部分と同じ部分には同一の符号を付して示し、その詳細な説明は省略する。
【００３６】
【発明の効果】
請求項１に係る発明によれば、厚紙片を横断面十字形に組み合わせて形成されるシャフトと、シャフトを回転可能に支持する軸穴を有した厚紙片を利用して形成される基台と、基台に軸支される厚紙片を利用して形成された揺動体と、シャフトの回転を揺動体の揺動運動に変換する厚紙片を利用して形成される伝動部とを具備した玩具であるから、シャフトの回転が伝動部を介して揺動体に伝達され、揺動部が基台上で揺動運動を行う。シャフト、基台、揺動体及び伝動部はすべて厚紙片で構成されるので、組立前において嵩張ることがなく、また厚紙シートの打ち抜き等により簡易に製造することができる。
【００３７】
請求項２に係る発明によれば、請求項１に記載の玩具において、すべての厚紙片が厚紙シートに切れ線を介して形成され、厚紙シートから抜き取られた後に組み立てられるようにした玩具であるから、玩具のすべての部品を一枚又は複数枚の厚紙シート内に設け、玩具の組立前はすべての厚紙片を厚紙シート内に収めて保管することができる。従って、玩具を簡易に製造することができ、また製造後部品の紛失を防止することができる。
【図面の簡単な説明】
【図１】本発明の実施の形態１に係る玩具の斜視図である。
【図２】図１に示すシャフトの組み立て手順を示す斜視図である。
【図３】図１に示す玩具の部品を含んだ厚紙シートの平面図である。
【図４】図１に示す玩具の他の部品を含んだ厚紙シートの平面図である。
【図５】本発明の実施の形態２に係る玩具の斜視図である。
【図６】図５に示す連結棒の正面図である。
【符号の説明】
１…シャフト
２…軸穴
３…基台
４…揺動体
５…伝動部
６，８…厚紙シート
７，９…切れ線
【図１】
2004181187.tif 000003
【図２】
2004181187.tif 000004
【図３】
2004181187.tif 000005
【図４】
2004181187.tif 000006
【図５】
2004181187.tif 000007
【図６】
2004181187.tif 000008